(57)【要約】【目的】とぎれやすいインキを使用したボールペン、誤記等を隠蔽することで修正可能とするボールペンなどを加圧作用で支援して筆記可能とする。【構成】先端にボールペンのチップを有し、インキ収容部にインキとフォロアが充填され、後端にポンピング式の加圧機構が設けられてなる加圧式のボールペンに於いて、ポンピング式の加圧機構は、軸筒後端孔に貫通孔を有する軸体が固定され、その貫通孔を常時密閉する弁体が設けられ、また軸体の後方に伸縮自在な弾性体が設けられ、その弾性体の外側に非通気性で伸縮自在なカバーが所定箇所のみに通気口を有して設けられ、さらに弾性体の伸縮作動に連動して前後動するノック棒がその前端部を軸体の貫通孔に嵌挿して設けられ、ノック棒の前端部が弁体の後方に適宜間隔をあけて設けられると共に、弾性体を適宜圧縮した状態でノック棒の前端が弁体を押圧して弁部が開口されるように構成されてなる。【選択図】                図２
2004174952.tif 000002
【特許請求の範囲】
【請求項１】
先端にボールペンのチップを有し、後方のインキ収容部にインキとインキの後端にインキと追随するフォロアが充填され、更にその後方にポンピング式の加圧機構が設けられてなる加圧式のボールペンに於いて、
前記ポンピング式の加圧機構は、軸筒後端孔に軸心に貫通孔を有する軸体が固定され、軸体の前方に前記貫通孔の前端を常時密閉する弁体が設けられ、また軸体の後方に伸縮自在な弾性体が設けられ、その弾性体の外側に非通気性で伸縮自在なカバーが所定箇所のみに通気口を有した状態で被覆されて、さらに前記弾性体の伸縮作動に連動して前後動するノック棒がその前端部を前記軸体の貫通孔に嵌挿して設けられ、ノック棒の前端部が弁体の後方に適宜間隔をあけて設けられると共に、弾性体を適宜圧縮した状態でノック棒の前端が弁体を押圧して弁部が開口されるように構成されたことを特徴とする加圧式のボールペン。
【請求項２】
伸縮自在な弾性体が無数の通気孔を有したスポンジ状弾性体で形成されてなる請求項１に記載の加圧式のボールペン。
【請求項３】
軸体の前方部にゴムや樹脂等の弾性体からなるキャップ状の弁体が密嵌状に固定されると共に、軸体の貫通孔を密閉する部位を避けた弁体前端壁面の所要箇所に通気口が形成されてなる請求項１に記載の加圧式のボールペン。
【請求項４】
先端ボールがチップ先端のボール抱持部の内縁に密接するように先端ボールの背面にバネ圧が付与されると共に、インキ収容部には、酸化チタン、高分子中空微粒子等の白色顔料とゲル化剤を含み、顔料の沈降が防止されると共に流動性が極力損なわれないように配合された白色顔料インキが充填されてなる請求項１に記載の加圧式のボールペン。
【発明の詳細な説明】
【０００１】
【産業上の利用分野】
本発明は、初期筆記でインキ切れしやすいインキを使用したボールペン、インキに種々のフィラーが混入されたボールペン、紙面に筆記した筆跡が消しゴムでの擦過により容易に消去できるインキが充填されたボールペン、誤記等を白色等のインキで隠蔽することで修正可能とする加圧式のボールペンに関する。
【０００２】
【従来の技術】
【特許文献１】特開平８−５２４０７
【特許文献２】実開昭６２−１５４８８２
【特許文献３】特表平７−５０６８６２
【特許文献４】実開昭６３−９８７７６
【特許文献５】特開２００１−３２８３８８
従来、誤記等を修正するために白色顔料を用いた液体塗布具が知られている。
また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）
また、剪断減粘性を有するインキを使用して、攪拌しないですむものも知られているが、上向きで塗布したときにインキが逆流してインキ切れしやすい問題が存在する。（特許文献３）
また、後端に加圧機構を設けて、ポンピング作用によってインキの流出を支援すると共に、インキの逆流が防止可能となるものが知られているが、インキの性質や機構のバラツキなどによって適正な加圧が発揮できずに異常にインキが吐出してしまったり、少なすぎたりする問題がある。（特許文献４，５）
【０００３】
一般に粘性の低いインキ又は剪断減粘性を有したインキを使用したボールペンは、インキの流出量が多く（筆記濃度を上げるため）インキ収容管の径を太くしてインキの搭載量を多くしている。又、インキの粘度は油性ボールペンのインキに比べて小さいのでインキ収容管に対する流動抵抗は小さい。従って、インキの自重や落下あるいはノック衝撃が加わることによりインキ漏れ（インキ収容管の後端にインキが逆流する）が生じやすい。その為に、通常はインキの後端に筆記時のインキの消耗に追随して移動するが、インキの自重や衝撃に対してインキの逆流を抑制するグリース状のフォロアが、又、必要によりフォロア棒がフォロア内に浸漬されて設けられている。しかしながら、フォロアを設けても上向き筆記をした時にはチップのボール背面のインキが無くなると、インキのヘッドが直に加わる為に顕著な逆流が生じて手や衣服を汚す危険がある。又、インキの粘度が低く流出量が多いが故に、チップ側を下向きにした場合に先端ボールとチップ抱持部の隙間が生じるとインキが滲みでる（直流）問題が存在する。
特に、誤記等を修正するために白色顔料を用いた液体塗布具の場合には、インキの流量を多くすることや、乾燥による目詰まり排除などの理由で、筆圧によって先端ボールが後退する寸法が大きくとってあり、先端ボールの周面とチップのボール抱持部の内面との間の隙間が大きい。
【０００４】
【発明が解決しようとする課題】
本発明は、初期筆記でインキがとぎれやすいインキを使用したボールペン、インキに種々のフィラーが混入されたボールペン、紙面に筆記した筆跡が消しゴムでの擦過により容易に消去できるインキが充填されたボールペン、誤記等を白色のインキで隠蔽することで修正可能とするボールペンなどを加圧作用で支援して筆記可能とする。主として、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧するようなこともない使い勝手の良い加圧式のボールペンを適正な加圧力を容易に設定して提供可能とする。
【０００５】
【課題を解決するための手段】
本発明は、上記課題を達成する為に以下の構成を有する。
請求項１に記載の発明に係る加圧式のボールペンは、先端にボールペンのチップを有し、後方のインキ収容部にインキとインキの後端にインキと追随するフォロアが充填され、更にその後方にポンピング式の加圧機構が設けられてなる加圧式のボールペンに於いて、前記ポンピング式の加圧機構は、軸筒後端孔に軸心に貫通孔を有する軸体が固定され、軸体の前方に前記貫通孔の前端を常時密閉する弁体が設けられ、また軸体の後方に伸縮自在な弾性体が設けられ、その弾性体の外側に非通気性で伸縮自在なカバーが所定箇所のみに通気口を有した状態で被覆されて、さらに前記弾性体の伸縮作動に連動して前後動するノック棒がその前端部を前記軸体の貫通孔に嵌挿して設けられ、ノック棒の前端部が弁体の後方に適宜間隔をあけて設けられると共に、弾性体を適宜圧縮した状態でノック棒の前端が弁体を押圧して弁部が開口されるように構成されてなる。
【０００６】
請求項２に記載の発明に係る加圧式のボールペンは、請求項１に記載の加圧式のボールペンに於いて、伸縮自在な弾性体が無数の通気孔を有したスポンジ状弾性体で形成されてなる。
【０００７】
請求項３に記載の発明に係る加圧式のボールペンは、請求項１に記載の加圧式のボールペンに於いて、軸体の前方部にゴムや樹脂等の弾性体からなるキャップ状の弁体が密嵌状に固定されると共に、軸体の貫通孔を密閉する部位を避けた弁体前端壁面の所要箇所に通気口が形成されてなる。
【０００８】
請求項４に記載の発明に係る加圧式のボールペンは、請求項１に記載の加圧式のボールペンに於いて、先端ボールがチップ先端のボール抱持部の内縁に密接するように先端ボールの背面にバネ圧が付与されると共に、インキ収容部には、酸化チタン、高分子中空微粒子等の白色顔料とゲル化剤を含み、顔料の沈降が防止されると共に流動性が極力損なわれないように配合された白色顔料インキが充填されてなる。
【０００９】
【実施例】
図１及び図２は本発明の実施例１である加圧式のボールペン１を示している。
先ず、ボールペン１は、軸筒２、チップ７、弁体６、受け座部材４、インキ１０、フォロア１１、フォロア棒１２、軸筒２後端に設けられるポンピング式の加圧機構で構成され、筆記具の最終形態としては通常先軸部３にキャップ（図示せず）が被嵌して設けられる。
【００１０】
軸筒２は樹脂成形品（通常は透明樹脂）で、先方に先細状の先軸部３を一体に有し、後端孔に雌螺子部２ｂが形成されている。
また、インキとフォロアが充填されるインキ収容部の後方にポンピング式の加圧機構が設けられている。また、先端より内孔３ａが形成され、内孔の後端には、拡開した孔（弁室５となる）があり、その孔の前端に複数箇所でリブ３ｃが放射状に設けられている。尚、軸筒２は一例としてＰＰ樹脂やナイロン樹脂成形品等が使用される。
【００１１】
一方、受け座部材４は、前面にテーパー状または球面状の弁体受け座４ａを有し、弁体受け座４ａの中心から後端に貫通した導孔４ｄが設けられている。
また、外周部の前方に円周状に凸部４ｂが、後方に円周状または突条の係止部４ｃが形成されている。
受け座部材４は、軸筒２の後端から挿入され、軸筒の内孔先方の段部２ａに当接して位置決めされると共に、その前方の内孔面に上記凸部４ｂが密接し、更に係止部４ｃが後方の内孔面に食い付き状に係止される。
尚、軸筒２の内孔面と受け座部材４の外周部の相互間に溝部と突部を設けて、弾性変形を利用して係止することも可能である。
【００１２】
以上で、リブ３ｃの後端となる前受け座３ｄと受け座部材４の前端となる弁体受け座４ａとの間に弁室５が形成される。尚、受け座部材４を係止する前に球状の弁体６が挿入されて、弁室５内に弁体６が遊嵌される。
尚、弁体６は球状に限らず棒状のコマであってもよい。その場合、弁体の前方外周にインキを流通可能とする溝を形成すれ弁室の前端に上記のリブ３ｃを特に設ける必要はない。
【００１３】
チップ７は、インキ流入可能なチャンネルを有した座に先端ボール８が略当接した状態で先端ボール８が回転自在に抱持されるようカシメられている。また、チップ内孔７ａにスプリング９が内挿され、チップ後方の軸部７ｂの後端が適宜カシメられて、スプリング９の後端が抜出不能に設けられている。また、スプリング９の先方には直立状の棒軸部９ａが形成され、当該棒軸部９ａの先端が先端ボール８の背面に押圧状に当接している。尚、先端ボール８はその押圧でチップ７のボール抱持部の内縁に密接状態と成される。
【００１４】
先端ボール８がボール抱持部の内面に密接することはインキが高粘度であっても筆記先端の乾燥、インキの直流防止に対し極めて重要である。
即ち、本願のような主に誤記修正塗布用のボールペンは、インキの吐出量を多くする為に、筆記用のボールペンに比較して先端ボールの後退する寸法が大きく設定されている。また、必要に応じて先端ボール８を抱持するチップ内面の表面粗さ、カシメによる密接精度を改善する為に内面の研削仕上げ、カシメ精度を上げる為の二次的な塑性加工などが配慮される。また、必要によっては先端ボールとの密接面に表面処理などが配慮される。
【００１５】
チップ７は先軸部３先端の内孔３ａに圧着される。
また、チップ７はインキ流入可能なチャンネルを有した座に先端ボール８が略当接した状態で、先端ボール８が回転自在に抱持されるようカシメられている。
また、チップ７の内孔部にスプリング９が内挿され、チップの軸部７ｂの後端が適宜カシメられて（カシメ部７ｃ）スプリング９の後端が抜出不能となされている。尚、スプリングの前面に先端ボール８の背面を押圧する押し部材を設けることも、また、スプリング９の棒軸部９ａを極細巻きのコイル状となすことも可能である。また更に、チップを耐磨耗性やインキのシール性能に優れた樹脂成形品となして、先端ボールの背面を押圧するバネ座を一体または別体のバネ座を設けて構成することも可能である。
【００１６】
以上により、チップ側が下向きの時に弁体６が前受け座３ｄに当接して、インキが導孔４ｄ、弁室５、リブとリブとの間に形成される溝を通じてチップ内孔７ａから先端ボール８の背面まで導通する。
【００１７】
上述したように、軸筒２は、受け座部材４の導孔４ｄの後方にインキ収容部を有しており、そのインキ収容部内に低粘度のインキや剪断減粘性を有するインキ、主として白色顔料インキ１０が充填され、そのインキの後端にインキの消耗と共にインキと追随するグリース状のフォロア１１が充填されている。また、フォロア１１はインキと相溶性が無く、インキの蒸発を防止する性能を有している。
また、必要に応じてフォロア内にフォロアと略同等の比重を有する樹脂製のフォロア棒１２が浸漬される。尚、フォロアは例えばシリコンゴム等の追従体とすることも可能である。
【００１８】
また、白色顔料インキ１０は、酸化チタン、高分子中空微粒子等の白色顔料とゲル化剤を含み、顔料の沈降が防止されると共に流動性が極力損なわれないように配合された白色顔料インキである。また、インキは剪断減粘性を有しているので先端ボールの回転で粘度が低下するのと相まって隠蔽性の高い塗布が可能である。
【００１９】
次にポンピング式の加圧機構について説明する。
軸体１３は、鍔部１３ａの前方に前端から前軸部１３ｅが、その前軸部１３ｅの後方にやや大径に成した後軸部１３ｃが形成され、さらに前軸部１３ｅの周面に溝状の係止部１３ｆが、また後軸部１３ｃの周面に雄螺子部１３ｄが形成されている。また、軸体１３は、鍔部１３ａの後方に軸部１３ｂが形成され、その後端から適宜深さで大径の孔部が設けられ、前記前軸部１３ｅの前端から前記大径の孔部に向けて軸心に貫通孔１３ｇが設けられている。また、貫通孔１３ｇの軸方向周面に溝状の通気路１３ｈが形成されている。
【００２０】
弁体１４は、キャップ状で、ゴムや樹脂等の弾性体からなり、前端壁面の所要箇所に通気口１４ｂが形成され、後端部外周が前方部外周よりやや大径に設けられると共に内周面に凸状の係止部１４ｃが形成されている。
【００２１】
軸体１３の前軸部１３ｅの外周にキャップ状の弁体１４が密嵌され、内周面に形成された凸状の係止部１４ｃが前軸部１３ｅの周面に形成された溝状の係止部１３ｆに係合し固定される。また、弁体の前端壁内面が前軸部１３ｅの前端面に密接して、軸体の貫通孔１３ｇの前端が密閉される。その際、通気口１４ｂは貫通孔を密閉する部位を避けた前端壁面の所要箇所に形成されている。
また、弁体の前端壁内面が前軸部の前端面に効果的に密接する手段として、接触面を曲面に設けたり、軸体の貫通孔の周囲に微少な突状部を設けて接触部の圧接効果を上げたり、接触面にコーティング材を設けたり、弁体の前端壁面に適宜テンションが懸けられた状態で前軸部の前端面に密接させるなどが必要に応じて成される。
【００２２】
ノック棒１５は、後端の板状部１５ａの前方に棒軸部１５ｂが延設されてなり、板状部１５ａの版面には所要箇所で溝１５ｃが穿設されている。
一方、軸体１３の後端に適宜深さで設けられた大径の孔部に、前方部を嵌入させた状態で、無数の通気孔を有したスポンジ状の伸縮自在な弾性体１７が設けられ、その弾性体１７の外側に非通気性で伸縮自在なカバー１６が所定箇所のみに通気口１６ａを有した状態で被覆され、カバー１６の前方部が軸体後端の軸部１３ｂに密着固定されている。
また、弾性体１７の後端とカバー１６の内面との間に、前記ノック棒１５の板状部１５ａが位置され、棒軸部１５ｂが軸体１３の貫通孔１３ｇに嵌挿して設けられ、ノック棒の棒軸部１５ｂの前端部が弁体の前端壁面の内面後方に適宜間隔をあけて設けられる。以上で、ポンピング式の加圧機構は構成される。
【００２３】
ポンピング式の加圧機構は、軸体１３に形成された雄螺子部１３ｄを軸筒２後端孔の雌螺子部２ｂに螺合し、鍔部１３ａの前端が軸筒２の後端に衝合した状態で接合される。その際、弁体１４の外周部１４ａが軸筒２の内周面に摺接することで弁体１４とフォロア１１との間に形成される空間部１８が外気と遮断された状態になされる。尚、空間部１８が外気と遮断される形態はこれに限定されるわけではない。
【００２４】
カバー１６の後端をノックすると、弾性体１７の伸縮作動に連動してノック棒１５が前後動し、弾性体１７を適宜圧縮した状態で棒軸部１５ｂの前端が弁体１７を押圧して弁部が開口されるように構成されている。
ところで、カバー１６は、伸縮自在となす為に、側面に適宜蛇腹を備えることもできる。また、通気口１６ａは、弾性体１７を圧縮する際に指で封止する必要があり、通常は使い勝手良くカバーの後端に穿設して設けられる。
また、上述した実施例では、弾性体１７をスポンジ状の伸縮自在な弾性体として設けたが、軸体の貫通孔後端の段部１３ｉとノック棒の板状部１５ａの前面との間にコイルスプリングを敷設して弾性体となすことも可能である。
【００２５】
また、実施例では、軸筒２を一体に設けているが、軸筒の構成をボールペンのチップとインキが充填された前軸筒とポンピングによって圧縮空気を送り込むように加圧機構が配設された後軸筒に分けて、相互間に設けた接合部で着脱可能に結合することによって、前軸筒のみを消耗品とすれば、ユーザーに安価に提供することが可能となる。尚、前軸筒と後軸筒を結合させる接合部は、螺子部や凹凸部の弾性係合などによって達成することが可能である。
また、軸筒を前軸筒と後軸筒を接合するように設けた場合には、後軸筒に軸体を一体に設けることも可能である。
【００２６】
また、図３及び図４は本発明の実施例２である加圧式のボールペン２１を示している。実施例２は、実施例１の構造を簡素化したものであって、基本的には同じものである。
即ち、軸筒２２の前方の内孔部で、チップ７の後端に対峙したインキ逆流防止用の弁機構が無く、さらに、インキ１０の後端に設けられたフォロア２０にはフォロア棒が浸漬されていない。このことは、実施例１がインキの逆流防止に対して完璧なのに対して実施例２が実質上問題のない構造を示している。
【００２７】
【作用】
次に、ポンピング式の加圧機構の作用を以下に説明する。
図２に示す状態から、通気口１６ａを指で封止した状態でカバー１６の後端を押圧して前進すると、弾性体１７が圧縮され、ノック棒１５の棒軸部１５ｂの前端部が弁体１４の前端壁内面に当接し、更なる前進で、前端壁内面が軸体１３の前端面から剥離して弁体の通気口１４ｂと軸体の通気路１３ｈが開通する。（図５参照、尚、弁体１４の前端壁内面が軸体１３の前端面に密接する力は、弾性体１７が圧縮され、棒軸部１５ｂの前端部が弁体の前端壁内面に当接するまでの弾性体１７圧縮による加圧力より勝るように設定されている。）従って、加圧された空気が空間部１８に供給されると共に、フォロア１１の後端が加圧されてインキのチップ側への流動性が支援される。カバー１６のノックを解除すると、弾性体１７の復帰と共にノック棒１５が後退して弁体の前端壁内面が軸体の前端面に密接し、カバー１６の通気孔１６ａから弾性体１７に外気が供給される。
【００２８】
そのことは、落下衝撃やインキの流動性の悪さ等に起因して先端ボールの周面からインキが離れてしまい連続的なインキの流出がとぎれるのを防止する作用ととぎれた時に回復する作用となる。
また、インキの特性などによって適正な加圧力が設定される。その場合、ノック棒１５の棒軸部１５ｂの前端部が弁体１４の前端壁内面に当接し、前端壁内面が軸体１３の前端面から剥離する時の弾性体１７の圧縮量を幾らにするか、シール部のリーク値などを勘案して設定することが可能となる。
【００２９】
次に、ボールペン１の機能について説明する。
先ず、筆記しない状態ではスプリング９の押圧で先端ボール８がチップ抱持部の内縁に密接されるのでインキ１０の直流及び逆流が防止される。又、筆圧により先端ボール８が微小に後退するので隙間を生じてインキが流出可能となり、筆記により先端ボール８の回転でインキが流出されて筆記される。
スプリング９の押圧が無い場合でも、インキの粘度があまり低く過ぎたり、あるいはインキの充填量が多過ぎたり、インキ収容部が大き過ぎたりしない場合には、フォロアの後端が加圧されるのでインキが直流や逆流が防止できる。
しかしながら、チップ７を上向きにして筆記したり、ノック衝撃の繰り返しなどを考慮するとインキの直流及び逆流防止のためにスプリング９で押圧することが望ましい。
【００３０】
またフォロア棒は、インキ収容部が大径である場合に使用される。即ち、グリース状のフォロアは、インキ収容部が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００３１】
また、インキの直流及び逆流はスプリングによる先端ボールへの押圧で果たされるが、先端ボールをボール抱持部の内縁にスプリングの押圧によって密接させると共に、その後方に弁体を遊嵌した弁室を設けてチップ上向きで弁体が導孔を閉塞するように併設して設けることで、ボール抱持部の加工バラツキによる先端ボールとの密接不完全状態や、ボール抱持部と先端ボールとの隙間に固形物が付着した場合の密接不完全状態が生じてもインキの逆流が確実に防止できる。
【００３２】
上述したフォロア棒や弁体を有したインキの逆流防止構造は、インキ収容部が大径で逆流しやすい場合や、上向き筆記を繰り返した時や衝撃が掛かった時に性能を発揮するものであって構成要素として必要としない場合もある。
【００３３】
【発明の効果】
本発明の加圧式のボールペンの構成及び作用は以上の如くであり、
初期筆記でインキ切れしやすいインキを使用したボールペンが加圧作用に支援されて筆記可能となる。また、酸化チタン、高分子中空微粒子等の白色顔料とゲル化剤を含み、顔料の沈降が防止されると共に流動性が損なわれないように配合された白色顔料インキと、ポンピングによる加圧機構を設けることによって、従来のように白色顔料と溶剤とが分離するような問題がなく、従ってインキを攪拌する必要がなく、筆記に際して容器の側面を押圧する煩わしさが無い誤記修正用のボールペンが提供可能となる。
また、軸筒をボールペンのチップとインキが充填された前軸筒にポンピングによって圧縮空気を送り込むように加圧機構が配設された後軸筒を着脱可能に結合させることによって、前軸筒のみを消耗品となすことが可能となり、ユーザーに対し安価な加圧式のボールペンを提供することが可能となる。
【図面の簡単な説明】
【図１】本発明の実施例１であるボールペンの前方部を示す縦断面図である。
【図２】実施例１であるボールペンの後方部を示す縦断面図である。
【図３】本発明の実施例２であるボールペンの前方部を示す縦断面図である。
【図４】実施例２であるボールペンの後方部を示す縦断面図である。
【図５】ポンピング式の加圧機構の作動状態を拡大して示した断面図である。
【符号の説明】
１        ボールペン
２      軸筒
２ａ    段部
２ｂ    雌螺子部
３      先軸部
３ａ    内孔
３ｂ    孔部
３ｃ    リブ
３ｄ    前受け座
４      受け部材
４ａ    弁体受け座
４ｂ    凸部
４ｃ    係止部
４ｄ    導孔
５      弁室
６      弁体
７      チップ
７ａ    チップ内孔
７ｂ    軸部
７ｃ    カシメ部
８      先端ボール
９      スプリング
９ａ    棒軸部
１０    インキ
１１    フォロア
１２    フォロア棒
１３    軸体
１３ａ  鍔部
１３ｂ  軸部
１３ｃ  後軸部
１３ｄ  雄螺子部
１３ｅ  前軸部
１３ｆ  係止部
１３ｇ  貫通孔
１３ｈ  通気路
１３ｉ  段部
１４    弁体
１４ａ  外周部
１４ｂ  通気口
１４ｃ  係止部
１５    ノック棒
１５ａ  板状部
１５ｂ  棒軸部
１５ｃ  溝
１６    カバー
１７    弾性体
１８    空間部
２０    フォロア
２１    ボールペン
２２    軸筒
２３    先軸部
【図１】
2004174952.tif 000003
【図２】
2004174952.tif 000004
【図３】
2004174952.tif 000005
【図４】
2004174952.tif 000006
【図５】
2004174952.tif 000007